(57)【要約】【課題】利便性を損なうことなく、第三者による不正な操作を防止することが可能な電子機器、プロジェクタ、及び電子機器の制御方法を提供する。【解決手段】操作モードが通常操作モードに設定された場合には、操作モードの設定が変更されるまで操作パネルは常に有効であり、操作モードがリモコン操作モードに設定された場合には、操作モードの設定が変更されるまで操作パネルは常に無効となる。一方、操作モードが一時的リモコン操作モードに設定された場合には、操作パネルは使用状況に応じて有効と無効との間で切り替わる。具体的には、リモコンを用いて何らかの遠隔操作（電源オフ操作を除く）がなされた場合に、制御部は、これ以降の操作パネルの使用を不可とする。また、電源オフ操作がなされた場合には、制御部は、これ以降の操作パネルの使用を許可する。【選択図】図７
2009049625.tif 000002
【特許請求の範囲】
【請求項１】
リモコンによる遠隔操作が可能な電子機器であって、
当該電子機器の本体に備えられ、入力操作を受け付ける入力操作部と、
前記リモコンから送信される操作信号を受信する受信部と、
前記受信部が前記操作信号を受信した場合に、前記入力操作部に対する入力操作を無効にする制御部と、
を備えたことを特徴とする電子機器。
【請求項２】
請求項１に記載の電子機器であって、
前記操作信号には、操作対象となる機器を識別するための識別情報が含まれており、前記制御部は、前記受信部が受信した前記操作信号に当該電子機器が操作対象であることを示す識別情報が含まれている場合に、前記入力操作部に対する入力操作を無効にすることを特徴とする電子機器。
【請求項３】
請求項１又は２に記載の電子機器であって、
前記制御部は、前記入力操作部に対する入力操作が無効になっている状態で、前記受信部が前記リモコンから電源をオフにするための操作信号を受信した場合に、前記入力操作部に対する入力操作を有効にすることを特徴とする電子機器。
【請求項４】
入力される画像情報に基づく画像を投写して表示するプロジェクタであって、
当該プロジェクタの本体に備えられ、入力操作を受け付ける入力操作部と、
当該プロジェクタを遠隔操作するためのリモコンから送信される操作信号を受信する受信部と、
前記受信部が前記操作信号を受信した場合に、前記入力操作部に対する入力操作を無効にする制御部と、
を備えたことを特徴とするプロジェクタ。
【請求項５】
入力操作を受け付ける入力操作部を本体に備えるとともに、リモコンによる遠隔操作が可能な電子機器の制御方法であって、
前記リモコンから送信される操作信号を受信した場合に、前記入力操作部に対する入力操作を無効にすることを特徴とする電子機器の制御方法。
【発明の詳細な説明】
【技術分野】
【０００１】
本発明は、リモコンによる遠隔操作が可能な電子機器、プロジェクタ、及び電子機器の制御方法に関する。
【背景技術】
【０００２】
近年、特許文献１に記載の投射装置（プロジェクタ）のように、第三者による不正使用を防止するため、所定の認証操作が行われた場合にのみ使用可能となる電子機器が知られている。このような電子機器を使用するためには、機器本体に備わる操作部（入力操作部）や、機器本体を遠隔操作するためのリモコンに対して、所定のシーケンスの操作（例えば、暗証番号の入力操作等）を行う必要がある。
【０００３】
【特許文献１】特開２００５−３３８６０４号公報
【発明の開示】
【発明が解決しようとする課題】
【０００４】
しかしながら、上記のような電子機器であっても、正規のユーザが所定の認証操作を行った後では、第三者による使用が可能になってしまうため、第三者によって望まない操作が行われてしまう恐れがあった。例えば、学校の授業でプロジェクタを使用する場合において、正規のユーザである教師が認証操作を行ってプロジェクタを使用可能にし、その投写画像の説明をスクリーンの近傍で行っているときに、プロジェクタの近傍にいる生徒に操作部を操作されてしまい、授業が妨げられてしまう事態が生じ得る。
【０００５】
一方、リモコンによる遠隔操作のみを受け付けるべく、操作部に対する入力操作を無効に設定することが可能なプロジェクタも存在する。しかしながら、その設定をした後では、常にリモコンで操作しなければならなくなるため利便性が損なわれるうえ、リモコンを紛失してしまうとプロジェクタを使用することができなくなってしまうという問題を有している。
【課題を解決するための手段】
【０００６】
本発明は、上述の課題の少なくとも一部を解決するためになされたものであり、以下の形態又は適用例として実現することが可能である。
【０００７】
［適用例１］本適用例に係る電子機器は、リモコンによる遠隔操作が可能な電子機器であって、当該電子機器の本体に備えられ、入力操作を受け付ける入力操作部と、前記リモコンから送信される操作信号を受信する受信部と、前記受信部が前記操作信号を受信した場合に、前記入力操作部に対する入力操作を無効にする制御部と、を備えたことを特徴とする。
【０００８】
この電子機器によれば、受信部がリモコンからの操作信号を受信した場合に、制御部が入力操作部に対する入力操作を無効にするため、ユーザがリモコンを操作してその操作信号を受信部に受信させれば、それ以降、入力操作部に対する不正操作を防ぐことが可能となる。また、受信部がリモコンからの操作信号を受信するまでは、入力操作部に対する入力操作が有効であるため、利便性が損なわれずに済む。
【０００９】
［適用例２］上記適用例に係る電子機器において、前記操作信号には、操作対象となる機器を識別するための識別情報が含まれており、前記制御部は、前記受信部が受信した前記操作信号に当該電子機器が操作対象であることを示す識別情報が含まれている場合に、前記入力操作部に対する入力操作を無効にすることが望ましい。
【００１０】
この電子機器によれば、受信部が当該電子機器を操作対象とする操作信号を受信した場合に、制御部が入力操作部に対する入力操作を無効にするため、当該電子機器とは無関係な操作信号を受信して、入力操作部に対する入力操作が不用意に無効になってしまうことを抑制することが可能となる。
【００１１】
［適用例３］上記適用例に係る電子機器において、前記制御部は、前記入力操作部に対する入力操作が無効になっている状態で、前記受信部が前記リモコンから電源をオフにするための操作信号を受信した場合に、前記入力操作部に対する入力操作を有効にすることが望ましい。
【００１２】
この電子機器によれば、受信部が電源をオフにするための操作信号をリモコンから受信した場合に、制御部が入力操作部に対する入力操作を有効にするため、入力操作部に対する入力操作が一旦無効になった後でも、次回、電源をオンにするための操作を入力操作部で行うことも可能となり、利便性が向上する。
【００１３】
［適用例４］本適用例に係るプロジェクタは、入力される画像情報に基づく画像を投写して表示するプロジェクタであって、当該プロジェクタの本体に備えられ、入力操作を受け付ける入力操作部と、当該プロジェクタを遠隔操作するためのリモコンから送信される操作信号を受信する受信部と、前記受信部が前記操作信号を受信した場合に、前記入力操作部に対する入力操作を無効にする制御部と、を備えたことを特徴とする。
【００１４】
このプロジェクタによれば、受信部がリモコンからの操作信号を受信した場合に、制御部が入力操作部に対する入力操作を無効にするため、ユーザがリモコンを操作してその操作信号を受信部に受信させれば、それ以降、入力操作部に対する不正操作を防ぐことが可能となる。また、受信部がリモコンからの操作信号を受信するまでは、入力操作部に対する入力操作が有効であるため、利便性が損なわれずに済む。
【００１５】
［適用例５］本適用例に係る電子機器の制御方法は、入力操作を受け付ける入力操作部を本体に備えるとともに、リモコンによる遠隔操作が可能な電子機器の制御方法であって、前記リモコンから送信される操作信号を受信した場合に、前記入力操作部に対する入力操作を無効にすることを特徴とする。
【００１６】
この電子機器の制御方法によれば、電子機器が、リモコンからの操作信号を受信した場合に、入力操作部に対する入力操作を無効にするため、ユーザがリモコンを操作してその操作信号を電子機器に受信させれば、それ以降、入力操作部に対する不正操作を防ぐことが可能となる。また、リモコンからの操作信号を受信するまでは、入力操作部に対する入力操作が有効であるため、利便性が損なわれずに済む。
【００１７】
また、上述した電子機器及びその制御方法が電子機器に備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、電子機器の内部記憶装置（ＲＡＭやＲＯＭ等のメモリ）、及び外部記憶装置等、前記コンピュータが読み取り可能な種々の媒体を利用することができる。
【発明を実施するための最良の形態】
【００１８】
以下、電子機器の実施形態として、外部の画像出力装置から入力される画像情報に基づく画像（入力画像）を投写して、スクリーンや壁面等にこの入力画像を表示するプロジェクタについて説明する。本実施形態のプロジェクタは、機器本体に備わる操作パネルによって各種操作が可能であるとともに、リモコンによる遠隔操作も可能になっている。
【００１９】
図１は、プロジェクタの概略構成を示すブロック図である。
図１に示すように、プロジェクタ１は、画像投写部１０、制御部２０、記憶部２１、操作パネル２２、受信部２３、入力端子群２４、入力ソース選択部２５、画像処理部２６、ＯＳＤ処理部２７、電源回路２８、光源制御部２９等を備えている。
【００２０】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像（画像光）を形成し、この画像を投写レンズ１３から投写してスクリーンＳＣ等に表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２３】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２４】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２５】
操作パネル２２は、プロジェクタ１の本体に備えられ、ユーザからの入力操作を受け付ける入力操作部に相当するものであり、ユーザがプロジェクタ１に対して各種指示を行うための複数の操作キーを備えている。操作パネル２２が備える操作キーとしては、電源のオン・オフを切り替えるための電源キー、各種設定を行うためのメニュー画像を表示させるメニューキー、メニュー画像上での項目の選択等に用いられるカーソルキー、メニュー画像において選択された項目を決定するための決定キー、操作の取り消し等を行うための取消キー、入力ソースを切り替えるための入力ソース切替キー等がある。ユーザが操作パネル２２の各種操作キーを操作すると、操作パネル２２は、ユーザの操作内容に応じた操作信号を制御部２０に出力する。
【００２６】
上述したように、本実施形態のプロジェクタ１は、操作パネル２２の代わりにリモコン４０を用いた遠隔操作も可能になっている。
図２は、リモコン４０の概略構成を示すブロック図である。
図２に示すように、リモコン４０は、ユーザによる入力操作を受け付ける複数の操作キー４１、リモコン記憶部４２、キー検出部４３、リモコン制御部４４、送信部４５等を備えている。リモコン４０が備える操作キー４１としては、操作パネル２２と同様、電源のオン・オフを切り替えるための電源キー、各種設定を行うためのメニュー画像を表示させるメニューキー、メニュー画像上での項目の選択等に用いられるカーソルキー、メニュー画像において選択された項目を決定するための決定キー、操作の取り消し等を行うための取消キー、入力ソースを切り替えるための入力ソース切替キー等がある。
【００２７】
リモコン記憶部４２は、ＲＯＭ又はＲＡＭにより構成され、リモコン４０の動作を制御するための制御プログラムや各種データ等を記憶する。また、リモコン記憶部４２には、リモコン４０の操作対象である機器（本実施形態ではプロジェクタ１）を識別するための識別情報が記憶されている。
【００２８】
キー検出部４３は、各操作キー４１が押下（操作）されたことを検出して、押下された操作キー４１を特定可能な検出信号をリモコン制御部４４に出力する。
【００２９】
リモコン制御部４４は、ＣＰＵ等からなり、リモコン記憶部４２に記憶されている制御プログラムに従って動作することによりリモコン４０の動作を統括制御する。そして、リモコン制御部４４は、キー検出部４３から検出信号が入力されると、押下された操作キー４１に対応する制御情報と、リモコン記憶部４２に記憶されている識別情報とを含んだ操作信号（以降、リモコン信号ＲＳという。）を生成する。
【００３０】
図３は、リモコン制御部４４が生成するリモコン信号ＲＳの構成を説明するための説明図である。
図３に示すように、リモコン信号ＲＳには、信号の先頭を表すリーダ部Ｒ１と、操作対象となる機器のメーカーを表すメーカーコードＲ２と、機器の種別（プロジェクタ、ビデオ等）を表す機器コードＲ３と、制御情報を表すデータコードＲ４と、信号の終了を表すトレーラ部Ｒ５とが含まれており、メーカーコードＲ２と機器コードＲ３が識別情報に相当する。リモコン制御部４４は、生成したリモコン信号ＲＳを送信部４５に出力する。
【００３１】
送信部４５は、赤外線通信用のエンコーダや赤外線発光装置（いずれも図示せず）等で構成され、リモコン制御部４４から入力されるリモコン信号ＲＳをエンコーダで変調し、赤外線発光装置により赤外線の点滅信号として外部に送信する。
【００３２】
図１に戻って、受信部２３は、リモコン４０から赤外線の点滅信号として送信されるリモコン信号ＲＳを受信して制御部２０に伝達するものであり、受光装置やデコーダ（いずれも図示せず）等で構成されている。受信部２３は、点滅信号を受光装置によって受光して電気信号に変換した後、デコーダによって復調して制御部２０に出力する。
【００３３】
なお、プロジェクタ１の記憶部２１には、リモコン記憶部４２と同様、プロジェクタ１を他の機器と識別するための識別情報が記憶されている。そして、リモコン４０から送信されたリモコン信号ＲＳを受信部２３が受信して制御部２０に伝達すると、制御部２０は、リモコン信号ＲＳに含まれる識別情報と記憶部２１に記憶されている識別情報とを比較することによって、受信したリモコン信号ＲＳがプロジェクタ１を対象とした信号であるか否かを識別することができるようになっている。
【００３４】
入力端子群２４は、ビデオ再生装置やパーソナルコンピュータ等、図示しない外部の画像出力装置から、各種形式の画像情報を入力可能な複数の入力端子２４ａを備えている。各入力端子２４ａに入力された画像情報は、入力ソース選択部２５に供給される。
【００３５】
入力ソース選択部２５は、複数の入力端子２４ａのうち、制御部２０の指示に基づく１つの入力端子２４ａを選択し、この入力端子２４ａに入力される画像情報を画像処理部２６に出力する。ユーザが、操作パネル２２或いはリモコン４０に備わる入力ソース切替キーを操作して所望の入力端子２４ａを指定すると、制御部２０は、この入力端子２４ａに入力されている画像情報が画像処理部２６に出力されるよう、入力ソース選択部２５に指示をする。
【００３６】
画像処理部２６は、入力ソース選択部２５から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、制御部２０の指示に基づいて、変換した画像情報に対して、明るさ、コントラスト、シャープネス、色合い等を調整するための画質調整処理等を行い、処理後の画像情報をＯＳＤ処理部２７に出力する。
【００３７】
ＯＳＤ処理部２７は、制御部２０の指示に基づいて、メニュー画像やメッセージ画像等のＯＳＤ（オンスクリーンディスプレイ）画像を、入力画像上に重畳するための処理を行う。ＯＳＤ処理部２７は、図示しないＯＳＤメモリを備えており、ＯＳＤ画像を形成するための図形やフォント等を表すＯＳＤ画像情報を記憶している。制御部２０が、ＯＳＤ画像の重畳を指示すると、ＯＳＤ処理部２７は、必要なＯＳＤ画像情報をＯＳＤメモリから読み出し、入力画像の所定の位置にＯＳＤ画像が重畳されるように、画像処理部２６から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２７は、画像処理部２６から出力される画像情報を、そのままライトバルブ駆動部１４に出力する。
【００３８】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（画像光）を形成し、この画像が投写レンズ１３からスクリーンＳＣに投写される。
【００３９】
電源回路２８には、外部からＡＣ１００Ｖ等の商用電源が供給される。電源回路２８は、商用電源（交流電源）を所定の電圧の直流電源に変換して、プロジェクタ１の各部に電力を供給する。なお、制御部２０は、電源回路２８から電力の供給を受けて動作している間、電源回路２８に指示をして、画像の投写に必要な電力（動作電力）の供給と停止とを切り替えることができる。なお、本明細書では、プロジェクタ１の各部に動作電力が供給された状態を電源オン状態と呼び、動作電力の供給が停止した状態を電源オフ状態或いはスタンバイ状態と呼ぶ。また、ユーザは、操作パネル２２或いはリモコン４０の電源キーを操作することによって、電源オン状態とスタンバイ状態とを切り替えることが可能になっている。このため、本明細書では、スタンバイ状態から電源オン状態に切り替えるための電源キーの操作を電源オン操作と呼び、電源オン状態からスタンバイ状態に切り替えるための電源キーの操作を電源オフ操作と呼ぶ。
【００４０】
光源制御部２９は、制御部２０の指示に基づいて、光源１１に対する電力の供給と停止とを制御し、光源１１の点灯及び消灯を切り替える。
【００４１】
ここで、本実施形態のプロジェクタ１は、第三者による不正な使用（操作）を防止するために、操作パネル２２を使用不可にする設定、即ち操作パネル２２に対する入力操作を無効にする設定を行うことが可能になっている。具体的には、ユーザは、操作パネル２２及びリモコン４０の双方による操作が可能な「通常操作モード」と、操作パネル２２を使用不可にしてリモコン４０による遠隔操作のみを可能とする「リモコン操作モード」と、リモコン４０による操作を受け付けた場合に操作パネル２２を一時的に使用不可にする「一時的リモコン操作モード」の３つの操作モードのうち、いずれか１つの操作モードを選択することができるようになっている。
【００４２】
図４は、操作モードの設定を説明するための説明図である。
ユーザが、操作パネル２２或いはリモコン４０に備わるメニューキーを操作して図示しないメニュー画像（メインメニュー）を入力画像上に重畳表示させた後、さらに所定の操作を行うと、制御部２０は、ＯＳＤ処理部２７に指示をして、図４に示すメニュー画像（操作モード設定メニュー）を入力画像上に重畳表示する。
【００４３】
図４に示すように、操作モード設定メニューＭｐには、タイトル「操作モードの設定」の下に、「通常操作モード」、「リモコン操作モード」、「一時的リモコン操作モード」の３つの項目（操作モード）が縦に並んで表示された構成を有している。３つの操作モードのうち、現在設定されている操作モード（この例では「通常操作モード」）は、選択された状態（背景色が異なる状態）になっており、ユーザは、操作パネル２２或いはリモコン４０に備わるカーソルキーを操作することにより、任意の項目を選択することができる。ユーザが、所望の項目を選択した後に決定キーを操作すると、制御部２０は、選択された操作モードを操作モード情報として記憶部２１に記憶し、その後、ＯＳＤ処理部２７に指示をして操作モード設定メニューＭｐの重畳表示を終了させて、入力画像の表示を再開させる。
【００４４】
さらに、制御部２０は、選択された操作モードに応じて操作パネル２２に対する入力操作を有効又は無効に設定すべく、「有効」及び「無効」のいずれか一方を表すフラグ（操作パネルフラグ）の設定を行って記憶部２１に記憶する。具体的には、操作モードが通常操作モードに設定された場合には、制御部２０は、操作パネルフラグを「有効」に設定することにより、操作パネル２２に対する入力操作を有効にして操作パネル２２を使用可能とする。また、操作モードがリモコン操作モードに設定された場合には、制御部２０は、操作パネルフラグを「無効」に設定することにより、操作パネル２２に対する入力操作を無効にして操作パネル２２を使用不可とする。また、操作モードが一時的リモコン操作モードに設定された場合には、制御部２０は、リモコン４０による操作を受け付けるまで操作パネル２２を使用可能とするために、操作パネルフラグを一時的に「有効」に設定する。
【００４５】
操作モードが通常操作モードに設定された場合には、操作モードの設定が変更されるまで操作パネル２２は常に有効となり、操作モードがリモコン操作モードに設定された場合には、操作モードの設定が変更されるまで操作パネル２２は常に無効となる。一方、操作モードが一時的リモコン操作モードに設定された場合には、操作パネル２２は使用状況に応じて有効と無効との間で切り替わる。具体的には、リモコン４０を用いて何らかの遠隔操作（電源オフ操作を除く）がなされた場合に、制御部２０は、操作パネルフラグを「無効」に設定し、これ以降の操作パネル２２の使用を不可とする。また、操作パネル２２が無効の状態で、リモコン４０により電源オフ操作がなされた場合には、制御部２０は操作パネルフラグを「有効」に設定し、これ以降の操作パネル２２の使用を許可するようになっている。
【００４６】
ここで、本実施形態のプロジェクタ１の動作について説明する。
プロジェクタ１に商用電源が供給されると、電源回路２８は、制御部２０、記憶部２１、操作パネル２２、受信部２３に電力（スタンバイ電力）の供給を行い、制御部２０は、この電力供給を受けて、制御プログラムに従った動作を開始する。商用電源が供給された直後には、プロジェクタ１は、スタンバイ状態であり、この状態では、制御部２０は、操作パネル２２及びリモコン４０の電源キーに対する操作（電源オン操作）を監視する。
【００４７】
図５及び図６は、スタンバイ状態におけるプロジェクタ１の動作を説明するためのフローチャートであり、図５は、スタンバイ状態においてリモコン４０による遠隔操作がなされた際の動作を示し、図６は、スタンバイ状態において操作パネル２２が操作された際の動作を示している。
【００４８】
スタンバイ状態においてリモコン４０に備わるいずれかの操作キー４１がユーザによって操作され、この結果送信されるリモコン信号ＲＳを受信部２３が受信すると、制御部２０は、図５に示すフローに従って動作する。
図５に示すように、ステップＳ１０１では、制御部２０は、受信したリモコン信号ＲＳに含まれる識別情報と、記憶部２１に記憶されている識別情報とを比較して、両者が一致するか否かを判断する。両者が一致する場合、即ち受信したリモコン信号ＲＳがプロジェクタ１を操作対象とする信号である場合にはステップＳ１０２に移行し、両者が一致しない場合には、スタンバイ状態のままフローを終了する。
【００４９】
ステップＳ１０２に移行した場合には、制御部２０は、受信したリモコン信号ＲＳに含まれる制御情報に基づいて、操作された操作キー４１が電源キーであるか否か、即ち電源キーに対する電源オン操作がなされたか否かを判断する。この結果、電源オン操作がなされた場合にはステップＳ１０３に移行し、電源キー以外のキー操作がなされた場合には、スタンバイ状態のままフローを終了する。
【００５０】
電源オン操作がなされてステップＳ１０３に移行した場合には、制御部２０は、記憶部２１に記憶されている操作モード情報を参照して、設定されている操作モードが一時的リモコン操作モードであるか否かを判断する。この結果、一時的リモコン操作モードに設定されている場合にはステップＳ１０４に移行し、他の操作モード（通常操作モード或いはリモコン操作モード）に設定されている場合にはステップＳ１０５に移行する。
【００５１】
操作モードが一時的リモコン操作モードに設定されていてステップＳ１０４に移行した場合には、制御部２０は、操作パネルフラグを「無効」に設定してステップＳ１０５に移行する。これ以降、電源オフ操作がなされてスタンバイ状態に移行するまでの間、操作パネル２２は使用不可となり、リモコン４０による遠隔操作のみが可能な状態（リモコン操作モードと同等の状態）となる。
【００５２】
ステップＳ１０５では、制御部２０は、電源回路２８に指示をして動作電力の供給を開始させてプロジェクタ１を電源オン状態に移行させ、続くステップＳ１０６では、光源制御部２９に指示をして光源１１を点灯させる等の必要な初期動作を行った後に、フローを終了する。この結果、画像出力装置から入力される画像情報に基づく入力画像が画像投写部１０から投写される。
【００５３】
このように、操作モードが一時的リモコン操作モードに設定されている場合には、ユーザは、リモコン４０を用いて電源オン操作を行うことにより、これ以降の電源オン状態の間、操作パネル２２に対する入力操作を無効にすることが可能となる。
【００５４】
また、スタンバイ状態において操作パネル２２に備わるいずれかの操作キーがユーザによって操作され、この入力操作を操作パネル２２が受け付けると、制御部２０は、図６に示すフローに従って動作する。
図６に示すように、ステップＳ１１１では、制御部２０は、操作パネル２２から入力される操作信号に基づいて、操作された操作キーが電源キーであるか否か、即ち電源キーに対する電源オン操作がなされたか否かを判断する。この結果、電源オン操作がなされた場合にはステップＳ１１２に移行し、電源キー以外のキー操作がなされた場合には、スタンバイ状態のままフローを終了する。
【００５５】
電源オン操作がなされてステップＳ１１２に移行した場合には、制御部２０は、記憶部２１に記憶されている操作パネルフラグを参照して、操作パネル２２が有効（使用可能）か否かを判断する。この結果、操作パネル２２が使用可能である場合、即ち操作パネルフラグが「有効」を示す場合にはステップＳ１１３に移行し、操作パネル２２が使用不可である場合、即ち操作パネルフラグが「無効」を示す場合には、スタンバイ状態のままフローを終了する。
【００５６】
なお、前述したように、操作モードが一時的リモコン操作モードに設定されている場合には、操作パネル２２が無効となった後でも、電源オフ操作がなされたときに操作パネル２２を有効にするようにしているため、スタンバイ状態では、操作パネル２２は有効になっている。つまり、スタンバイ状態において操作パネル２２が無効となるのは、操作モードがリモコン操作モードに設定されている場合のみとなる。このため、ステップＳ１１２では、操作パネルフラグを参照する代わりに、記憶部２１から操作モード情報を読み出して、設定されている操作モードが通常操作モード或いは一時的リモコン操作モードに設定されている場合に、ステップＳ１１３に移行し、リモコン操作モードである場合に、スタンバイ状態のままフローを終了するようにしてもよい。
【００５７】
ステップＳ１１３に移行した場合には、制御部２０は、電源回路２８に指示をして動作電力の供給を開始させてプロジェクタ１を電源オン状態とし、続くステップＳ１１４では、光源制御部２９に指示をして光源１１を点灯させる等の必要な初期動作を行った後にフローを終了する。この結果、画像出力装置から入力される画像情報に基づく入力画像が画像投写部１０から投写される。
【００５８】
上記のように、リモコン４０による電源オン操作（図５参照）或いは操作パネル２２による電源オン操作（図６参照）がなされ、プロジェクタ１が電源オン状態に移行して入力画像の投写を開始すると、ユーザは、電源キーに限らず、様々な操作キーを用いて各種入力操作を行うことができる。
図７及び図８は、電源オン状態におけるプロジェクタ１の動作を説明するためのフローチャートであり、図７は、電源オン状態においてリモコン４０による遠隔操作がなされた際の動作を示し、図８は、電源オン状態において操作パネル２２が操作された際の動作を示している。
【００５９】
電源オン状態においてリモコン４０に備わるいずれかの操作キー４１がユーザによって操作され、この結果送信されるリモコン信号ＲＳを受信部２３が受信すると、制御部２０は、図７に示すフローに従って動作する。
図７に示すように、ステップＳ２０１では、制御部２０は、受信したリモコン信号ＲＳに含まれる識別情報と、記憶部２１に記憶されている識別情報とを比較して、両者が一致するか否かを判断する。両者が一致する場合、即ち受信したリモコン信号ＲＳがプロジェクタ１を操作対象とする信号である場合には、ステップＳ２０２に移行し、両者が一致しない場合にはフローを終了する。
【００６０】
ステップＳ２０２に移行した場合には、制御部２０は、記憶部２１に記憶されている操作モード情報を参照して、設定されている操作モードが一時的リモコン操作モードであるか否かを判断する。この結果、一時的リモコン操作モードに設定されている場合にはステップＳ２０３に移行し、他の操作モード（通常操作モード又はリモコン操作モード）に設定されている場合にはステップＳ２０５に移行する。
【００６１】
操作モードが一時的リモコン操作モードに設定されていてステップＳ２０３に移行した場合には、制御部２０は、受信したリモコン信号ＲＳに含まれる制御情報に基づいて、操作された操作キー４１が電源キーであるか否か、即ち電源キーに対する電源オフ操作がなされたか否かを判断する。この結果、電源オフ操作がなされた場合にはステップＳ２０６に移行し、電源キー以外のキー操作がなされた場合にはステップＳ２０４に移行する。
【００６２】
電源キー以外のキー操作がなされてステップＳ２０４に移行した場合には、制御部２０は、操作パネルフラグを「無効」に設定してステップＳ２０５に移行する。これ以降、電源オフ操作がなされてスタンバイ状態に移行するまでの間、操作パネル２２は使用不可となり、リモコン４０による遠隔操作のみが可能な状態となる。
【００６３】
ステップＳ２０５では、制御部２０は、操作内容に応じた処理、即ち操作された操作キーに応じた処理を行った後にフローを終了する。
【００６４】
一方、ステップＳ２０３において電源オフ操作がなされてステップＳ２０６に移行した場合には、制御部２０は、操作パネルフラグを「有効」に設定してステップＳ２０５に移行する。そして、ステップＳ２０５では、操作内容に応じた処理（この場合には電源オフ操作に応じた処理）、即ち、光源制御部２９に指示をして光源１１を消灯させるなどの終了処理を行うとともに、電源回路２８に指示をして動作電力の供給を停止させてプロジェクタ１をスタンバイ状態とした後にフローを終了する。
【００６５】
このように、一時的リモコン操作モードに設定されている場合において、リモコン４０によって電源オフ操作以外の入力操作がなされると、ステップＳ２０４において操作パネル２２が無効（使用不可）となるため、操作パネル２２を用いた不正操作を防止することが可能となる。また、操作パネル２２が無効になった後でも、電源オフ操作がなされた際に、ステップＳ２０６において操作パネル２２を有効（使用可能）に戻すようにしているため、次回の電源オン操作及びその後の各種入力操作を、操作パネル２２を用いて行うことも可能である。
【００６６】
また、電源オン状態において操作パネル２２に備わるいずれかの操作キーがユーザによって操作され、この入力操作を操作パネル２２が受け付けると、制御部２０は、図８に示すフローに従って動作する。
図８に示すように、ステップＳ２１１では、制御部２０は、記憶部２１に記憶されている操作パネルフラグを参照して、操作パネル２２が有効（使用可能）か否かを判断する。この結果、操作パネルフラグが「有効」を示し、操作パネル２２が使用可能である場合にはステップＳ２１２に移行して、操作内容に応じた処理、即ち操作された操作キーに応じた処理を行った後にフローを終了する。
【００６７】
一方、ステップＳ２１１において、操作パネルフラグが「無効」を示し、操作パネル２２が使用不可である場合、即ち、操作モードがリモコン操作モードの場合、又は操作モードが一時的リモコン操作モードであってリモコン４０による電源オン操作がなされた場合、或いは操作モードが一時的リモコン操作モードであってリモコン４０による入力操作がなされた後の場合には、操作された操作キーに応じた処理を行わずにフローを終了する。つまり、この場合には、操作パネル２２になされた入力操作は無効となる。
【００６８】
以上説明したように、本実施形態のプロジェクタ１によれば、以下の効果を得ることができる。
（１）本実施形態のプロジェクタ１によれば、操作モードが一時的リモコン操作モードに設定されている場合において、リモコン４０からのリモコン信号ＲＳを受信部２３が受信した際に、制御部２０が操作パネル２２に対する入力操作を無効にするため、一度リモコン４０からリモコン信号ＲＳを送信して受信部２３にそれを受信させれば、それ以降、操作パネル２２に対する不正操作を防ぐことが可能となる。また、受信部２３がリモコン４０からのリモコン信号ＲＳを受信するまでは、操作パネル２２に対する入力操作が有効であるため、例えば、手元にリモコン４０がない場合でも操作パネル２２により所望の操作を行うことが可能となり、利便性が損なわれずに済む。
【００６９】
（２）本実施形態のプロジェクタ１によれば、制御部２０は、リモコン４０から受信したリモコン信号ＲＳに含まれる識別情報を参照し、このリモコン信号ＲＳがプロジェクタ１を操作対象とする信号である場合にのみ操作パネル２２に対する入力操作を無効にするようにしているため、受信部２３がプロジェクタ１とは無関係な赤外線信号を受信した場合等に、操作パネル２２に対する入力操作が不用意に無効になってしまうことを抑制することが可能となる。
【００７０】
（３）本実施形態のプロジェクタ１によれば、受信部２３が電源をオフにするためのリモコン信号ＲＳをリモコン４０から受信した場合に、制御部２０は、操作パネル２２に対する入力操作を有効にするため、次回の電源オン操作を、操作パネル２２及びリモコン４０のいずれからでも行うことが可能となり、利便性が向上する。
【００７１】
（変形例）
また、前記実施形態は、以下のように変更してもよい。
前記実施形態では、リモコン４０とプロジェクタ１とが赤外線により通信を行う態様を示しているが、赤外線以外の光通信であってもよいし、電波や超音波等を用いた通信、或いは有線による通信を採用してもよい。
【００７２】
前記実施形態では、リモコン４０の電源キーによって電源オフ操作がなされた際に、操作パネル２２に対する入力操作を有効にするようにしているが、電源キー以外の所定の操作キーが操作された場合に、操作パネル２２に対する入力操作を有効にするようにしてもよい。
【００７３】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７４】
前記実施形態では、光源１１は、放電型の光源ランプ１１ａによって構成されているが、ＬＥＤ光源等の固体光源や、その他の光源を用いることもできる。
【００７５】
前記実施形態では、電子機器の例としてプロジェクタ１について説明しているが、入力操作がなされる入力操作部（操作パネル）を本体に備えるとともに、リモコンによる遠隔操作が可能な電子機器であれば、プロジェクタ以外の画像表示装置（例えば、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等）、或いは画像表示装置以外の電子機器にも適用可能である。
【図面の簡単な説明】
【００７６】
【図１】プロジェクタの概略構成を示すブロック図。
【図２】リモコンの概略構成を示すブロック図。
【図３】リモコン信号の構成を説明するための説明図。
【図４】操作モードの設定を説明するための説明図。
【図５】スタンバイ状態におけるプロジェクタの動作を説明するためのフローチャートであり、スタンバイ状態においてリモコンによる遠隔操作がなされた際の動作を示す図。
【図６】スタンバイ状態におけるプロジェクタの動作を説明するためのフローチャートであり、スタンバイ状態において操作パネルが操作された際の動作を示す図。
【図７】電源オン状態におけるプロジェクタの動作を説明するためのフローチャートであり、電源オン状態においてリモコンによる遠隔操作がなされた際の動作を示す図。
【図８】電源オン状態におけるプロジェクタの動作を説明するためのフローチャートであり、電源オン状態において操作パネルが操作された際の動作を示す図。
【符号の説明】
【００７７】
１…プロジェクタ、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２１…記憶部、２２…操作パネル、２３…受信部、２４…入力端子群、２４ａ…入力端子、２５…入力ソース選択部、２６…画像処理部、２７…ＯＳＤ処理部、２８…電源回路、２９…光源制御部、４０…リモコン、４１…操作キー、４２…リモコン記憶部、４３…キー検出部、４４…リモコン制御部、４５…送信部、ＲＳ…リモコン信号、ＳＣ…スクリーン。
【図１】
2009049625.tif 000003
【図２】
2009049625.tif 000004
【図３】
2009049625.tif 000005
【図４】
2009049625.tif 000006
【図５】
2009049625.tif 000007
【図６】
2009049625.tif 000008
【図７】
2009049625.tif 000009
【図８】
2009049625.tif 000010